(57)【要約】【課題】発光部の温度上昇による発光停止状態をなくし、撮影者が意図したタイミングでストロボ撮影を行うことが可能な撮像装置を提供する。【解決手段】外部ストロボ１２０と、内蔵ストロボ１２１と、ストロボ制御部１１９と、ＭＰＵ１０１とを備える。ストロボ制御部１１９は、外部ストロボ１２０を発光させる。ＭＰＵ１０１は、外部ストロボ１２０が発光禁止温度以上になったか否か判定し、発光禁止温度以上になったと判定した場合に、内蔵ストロボ１２１に切り替える。ストロボ制御部１１９は、内蔵ストロボ１２１を発光させる。【選択図】図２
2010015090.tif 000002
【特許請求の範囲】
【請求項１】
第１の発光手段と、
第２の発光手段と、
ストロボ撮影時に前記第１の発光手段及び前記第２の発光手段のいずれかを発光させる発光制御手段と、
前記第１の発光手段が発光禁止温度以上になったか否か判定する判定手段とを備え、
前記発光制御手段は、ストロボ撮影時に発光させる発光手段が前記第１の発光手段に設定されていて前記判定手段により前記第１の発光手段が前記発光禁止温度以上になったと判定された場合に、ストロボ撮影時に発光させる発光手段を前記第２の発光手段に切り替えることを特徴とする撮像装置。
【請求項２】
前記第１の発光手段の発光可能量は、前記第２の発光手段の発光可能量よりも大きく、
前記第１の発光手段を発光させる場合の前記第１の発光手段の発光量が前記第２の発光手段の発光可能量を超えていれば、前記第１の発光手段を発光させる場合と同じ調光となるように、前記第２の発光手段を発光させる場合のＩＳＯ、絞り、シャッター速度のうち少なくとも１つのパラメータを補正する補正手段を備えることを特徴とする請求項１記載の撮像装置。
【請求項３】
前記発光制御手段は、ストロボ撮影時に発光させる発光手段を前記第１の発光手段から前記第２の発光手段に切り替えたのち、前記判定手段により前記第１の発光手段が前記発光禁止温度より低くなったと判定された場合、ストロボ撮影時に発光させる発光手段を前記第２の発光手段から前記第１の発光手段に切り替えることを特徴とする請求項１または２記載の撮像装置。
【請求項４】
第１の発光手段と、
第２の発光手段と、
前記第１の発光手段及び前記第２の発光手段を発光させる発光制御手段と、
前記第１の発光手段及び前記第２の発光手段の少なくとも一方が発光禁止温度以上になったか否か判定する判定手段とを備え、
前記発光制御手段は、前記判定手段により前記第１の発光手段及び前記第２の発光手段のいずれかが前記発光禁止温度以上になったと判定された場合に、ストロボ撮影時に前記第１の発光手段及び前記第２の発光手段のうち前記発光禁止温度以上になっていない発光手段を発光させることを特徴とする撮像装置。
【請求項５】
前記第１の発光手段及び前記第２の発光手段のいずれか一方は、前記撮像装置に着脱可能な外部ストロボであることを特徴とする請求項１乃至４のいずれかに記載の撮像装置。
【発明の詳細な説明】
【技術分野】
【０００１】
本発明は、ストロボの発光部の温度上昇を抑制するストロボ発光制御に特徴のある撮像装置に関する。
【背景技術】
【０００２】
撮像装置において、ストロボ発光、特に、連続発光を行うと、発光部（フレネルレンズ）が発光によって温度上昇してしまう。
【０００３】
上記温度上昇対策として、特許文献１では、発光部が温度上昇した場合には、警告表示を行う技術を提案している。
【０００４】
また、特許文献２では、発光部が温度上昇した場合には、連続発光を行わないように充電時間を操作する技術を提案している。
【０００５】
また、特許文献３では、発光部が温度上昇した場合には、発光を禁止させる技術を提案している。
【特許文献１】米国特許第５６４００７０号明細書
【特許文献２】特開平１０−２０６９４１号公報
【特許文献３】特開２００１−０６６６７５号公報
【発明の開示】
【発明が解決しようとする課題】
【０００６】
しかしながら、上述した従来技術のうち、特許文献１のような発光部温度上昇を警告する技術においては、発光を止めるか否かはユーザー任せである。
【０００７】
また、発光部温度上昇の際に、特許文献２のような連続発光を行わないように充電時間を操作する技術、及び特許文献３のような発光を禁止する技術においては、実際にストロボ撮影したい時に撮影ができず、シャッターチャンスを逃してしまう可能性がある。
【０００８】
本発明の目的は、発光部の温度上昇による発光停止状態をなくし、撮影者が意図したタイミングでストロボ撮影を行うことが可能な撮像装置を提供することにある。
【課題を解決するための手段】
【０００９】
上記目的を達成するために、請求項１記載の撮像装置は、第１の発光手段と、第２の発光手段と、ストロボ撮影時に前記第１の発光手段及び前記第２の発光手段のいずれかを発光させる発光制御手段と、前記第１の発光手段が発光禁止温度以上になったか否か判定する判定手段とを備え、前記発光制御手段は、ストロボ撮影時に発光させる発光手段が前記第１の発光手段に設定されていて前記判定手段により前記第１の発光手段が前記発光禁止温度以上になったと判定された場合に、ストロボ撮影時に発光させる発光手段を前記第２の発光手段に切り替えることを特徴とする。
【００１０】
請求項４記載の撮像装置は、第１の発光手段と、第２の発光手段と、前記第１の発光手段及び前記第２の発光手段を発光させる発光制御手段と、前記第１の発光手段及び前記第２の発光手段の少なくとも一方が発光禁止温度以上になったか否か判定する判定手段とを備え、前記発光制御手段は、前記判定手段により前記第１の発光手段及び前記第２の発光手段のいずれかが前記発光禁止温度以上になったと判定された場合に、ストロボ撮影時に前記第１の発光手段及び前記第２の発光手段のうち前記発光禁止温度以上になっていない発光手段を発光させることを特徴とする。
【発明の効果】
【００１１】
本発明の撮像装置によれば、発光部の温度上昇による発光停止状態をなくし、撮影者が意図したタイミングでストロボ撮影を行うことが可能となる。
【発明を実施するための最良の形態】
【００１２】
以下、本発明を図面を参照しながら詳細に説明する。
【００１３】
但し、本実施の形態において例示される構成部品の寸法、形状、それらの相対配置等は、本発明が適用される撮像装置の構成や各種条件により適宜変更されるべきものであり、本発明がそれらの例示に限定されるものではない。
【００１４】
図１は、本発明の実施の形態に係る撮像装置のブロック図である。
【００１５】
図１において、マイクロコントローラ（ＭＰＵ）１０１は、撮影シーケンス等システムを制御する。タイミング信号発生回路１０２は、撮像素子１０３を動作させるために必要なタイミング信号を発生する。
【００１６】
ＣＣＤやＣＭＯＳ等の撮像素子１０３は、被写体からの反射光を電気信号に変換する。Ａ／Ｄ変換器１０４は、アナログ画像データをデジタル画像データに変換する。メモリコントローラ１０５は、メモリの読み書きやバッファメモリ１０６のリフレッシュ動作等を制御する。
【００１７】
画像表示部１０７は、バッファメモリ１０６に蓄えられた画像データを表示する。記録媒体Ｉ／Ｆ１０８は、記録媒体１０９との接続のためのインターフェースである。記録媒体１０９は、メモリカードやハードディスク等で構成される。
【００１８】
ＥＥＰＲＯＭ１１０は、ＭＰＵ１０１が撮像装置動作を制御する際に使用する調整データ等を書き込み、また、その保存しているデータの読み出しを行う。
【００１９】
モータ制御回路１１１は、露出動作時にＭＰＵ１０１からの信号に従って不図示のモータを制御することにより、不図示のミラーのアップ・ダウンやシャッターのチャージを行わせる。
【００２０】
シャッター制御回路１１２は、ＭＰＵ１０１からの信号に従って、不図示のシャッター先幕、シャッター後幕の通電をカットし幕走行させ、露出動作を制御する。
【００２１】
測光回路１１３、画面内を複数のエリアに分割した多分割測光センサ１１４は、シリコンフォトダイオード等の受光素子と、受光素子で発生した光電流を増幅するアンプ等から構成されている集積回路である。
【００２２】
この多分割測光センサ１１４の受光部は、撮像素子やフィルム等の感光部材の画面とほぼ同一の範囲の光を受光するように配置されており、光が当たると所定の光電流を発生する。光電流の出力は、公知の対数圧縮増幅器を経て、順次、ＭＰＵ１０１に送信される。
【００２３】
ＭＰＵ１０１は、各々の素子からの出力をＡ／Ｄ変換器１１８により変換することで、撮影範囲各部の輝度をデジタル値として扱い、撮影の露出調節のための絞り値の演算とシャッター速度の演算を行う。
【００２４】
また、ストロボ使用時には、被写体へ向けて予備発光されていない定常状態と予備発光されている状態の双方の状態において、多分割測光センサ１１４は、輝度信号をＭＰＵ１０１に出力する。
【００２５】
ＭＰＵ１０１は、この輝度信号をＡ／Ｄ変換器１１８によりデジタル値に変換し、ストロボ撮影の露出調節のための絞り値の演算とシャッター速度の演算及び露光時のストロボメイン発光量の演算を行う。
【００２６】
レンズ制御回路１１５は、不図示のレンズマウント接点を介してＭＰＵ１０１と通信し、不図示のレンズ駆動モータ及びレンズ絞りモータを動作させ、レンズの焦点調節と絞りを制御している。
【００２７】
焦点検出回路１１６は、ＡＦ（オートフォーカス）のための被写体に対するデフォーカス量を検出する機能を有する。
【００２８】
スイッチＳＷ１は、不図示のレリーズボタンの第１ストロークでＯＮし、測光及びＡＦを開始させる。スイッチＳＷ２は、レリーズボタンの第２ストロークでＯＮし、露光動作を開始させる。
【００２９】
ＳＷ１、ＳＷ２及びその他不図示の撮像装置の操作部材である単写／連写／セルフタイマー設定スイッチ、絞り設定スイッチ、シャッター速度設定スイッチ、内蔵ストロボポップアップスイッチ等の各スイッチの信号は、スイッチセンス回路１１７が検出する。スイッチセンス回路１１７は、検出したスイッチの信号をＭＰＵ１０１に送る。
【００３０】
ストロボ制御部１１９は、発光パターンや発光輝度、発光時間等の発光処理を行う。また、ストロボ制御部１１９は、ストロボ撮影時に撮像装置に着脱可能な外部ストロボ（発光部）１２０と内蔵ストロボ（発光部）１２１のどちらを使用するか、外部ストロボ１２０と内蔵ストロボ１２１を同時に使用するか等の制御も行う。
【００３１】
ここで、外部ストロボ１２０は第１の発光手段として、また、内蔵ストロボ１２１は第２の発光手段として機能する。
【００３２】
次に、本撮像装置のストロボ発光制御処理の動作について図１〜図４に沿って詳細に説明する。
【００３３】
（第１の実施の形態）
図２は、図１の撮像装置によって実行されるストロボ発光制御処理の第１の実施の形態の手順を示すフローチャートである。尚、ストロボ撮影時に外部ストロボ１２０と内蔵ストロボ１２１のどちらを使用するかは撮影者が設定可能であり、本実施の形態は、ストロボ撮影時には外部ストロボ１２０を発光させる設定であるものとする。
【００３４】
本処理は、図１におけるＭＰＵ１０１の制御の下に実行される。
【００３５】
図２において、ステップＳ１０１で、スイッチセンス回路１１７のＳＷ１をＯＮすると、撮影待機状態となり、ステップＳ１０２のレリーズ判定状態へ移行する。ＳＷ１をＯＦＦすることで本処理が終了となる。
【００３６】
ステップＳ１０２では、ＭＰＵ１０１は、スイッチセンス回路１１７のＳＷ２の状態を検出し、ＯＮであればステップＳ１０３へ移行し、ＯＦＦの場合はステップＳ１０１へ帰還する。
【００３７】
ステップＳ１０３では、ＭＰＵ１０１は、ストロボ制御部１１９を制御し、外部ストロボ１２０で予備発光を行う。そして、被写体へ向けて予備発光されていない定常状態と予備発光されている状態の双方の状態において、多分割測光センサ１１４によって輝度信号をＭＰＵ１０１に出力する。
【００３８】
ＭＰＵ１０１は、この輝度信号をＡ／Ｄ変換器１１８によりデジタル値に変換し、ストロボ制御部１１９にて、ストロボ撮影の露出調節のための絞り値の演算と、シャッター速度の演算及び露光時のストロボメイン発光量の演算を行う。ストロボメイン発光量はＭＰＵ１０１内蔵のＲＡＭに記憶する。
【００３９】
尚、メイン発光が上記のような撮像装置が自動で制御する調光方式でなく、予め決められた発光量で発光を行うマニュアル発光の場合は、上記演算は行わず、所定発光量をそのままＭＰＵ１０１内蔵のＲＡＭに記憶する。
【００４０】
ステップＳ１０４では、ＭＰＵ１０１は、モータ制御回路１１１とシャッター制御回路１１２で不図示のミラーのアップやシャッター先幕の通電のカットを行い、先幕走行の制御を開始して露光状態とし、外部ストロボ１２０を発光させる。
【００４１】
次に、ＭＰＵ１０１は、撮像素子１０３で露光蓄積された電荷をタイミング信号発生回路１０２により出力開始し、Ａ／Ｄ変換１０４で変換されたデジタル画像データを、メモリコントローラ１０５を介してバッファメモリ１０６に記憶する。
【００４２】
ＭＰＵ１０１は、バッファメモリ１０６に画像データを記憶後に、画像表示部１０７で画像データを表示させ、記録媒体１０９に画像データを格納する。
【００４３】
ステップＳ１０５では、ＭＰＵ１０１は、ストロボ制御部１１９により外部ストロボ１２０から温度Ｔを取得し、内蔵のＲＡＭに格納する。
【００４４】
ステップＳ１０６では、ＭＰＵ１０１は、ステップＳ１０５で格納された外部ストロボ１２０の温度Ｔと所定値の発光禁止温度とを比較し、発光禁止温度以上であればステップＳ１０７へ移行し、発光禁止温度未満であればステップＳ１０２へ帰還する。
【００４５】
ステップＳ１０７では、ＭＰＵ１０１は、スイッチセンス回路１１７のＳＷ２の状態を検出し、ＯＮであればステップＳ１０８へ移行し、ＯＦＦの場合はステップＳ１０５へ帰還する。
【００４６】
ステップＳ１０８では、ＭＰＵ１０１は、内蔵ストロボ１２１で適正調光となるように発光演算処理を行う。
【００４７】
図３は、図１における外部ストロボ及び内蔵ストロボの発光量演算処理の説明図である。
【００４８】
図３で示されている、外部ストロボ１２０の発光量が内蔵ストロボ１２１のガイドナンバー（発光可能量）を超えている場合は、ＩＳＯや絞りを調整して内蔵ストロボ発光が外部ストロボ発光と同じ調光となるように補正する。
【００４９】
例えば、外部ストロボガイドナンバーａ＝５０、内蔵ストロボガイドナンバーｂ＝２５なら、発光段数差Ｘ＝２段となる。
【００５０】
ここで外部ストロボ１２０がＭＡＸのガイドナンバー５０で発光した場合、絞り値を２段分開放側へ絞る。絞り値＝５．０なら絞り値＝２．５へ補正する。
【００５１】
ＩＳＯで補正する場合も同様で、ＩＳＯ＝１００→４００へ補正することで、外部ストロボ１２０と同じ調光をすることが実現できる。
【００５２】
例では、絞り値、ＩＳＯ値に限定したが、ＬＥＤストロボやフラット発光時のようなシャッター速度によって調光が変化するものは、シャッター速度で調光補正しても良いし、これら３つのパラメータすべてを加味して調光補正をしても良い。
【００５３】
ステップＳ１０９では、ＭＰＵ１０１は、モータ制御回路１１１で不図示の内蔵ストロボ発光部が収納型であればポップアップをしてミラーのアップを行う。次に、ＭＰＵ１０１は、モータ制御回路１１１でシャッター先幕の通電をカットし、先幕走行の制御を開始して露光状態とし、内蔵ストロボ１２１を発光させる。
【００５４】
次に、ＭＰＵ１０１は、撮像素子１０３で露光蓄積された電荷をタイミング信号発生回路１０２により出力開始し、Ａ／Ｄ変換１０４で変換されたデジタル画像データを、メモリコントローラ１０５を介してバッファメモリ１０６に記憶する。ＭＰＵ１０１は、バッファメモリ記憶後に画像表示部１０７で画像データを表示させ、記録媒体１０９に画像データを格納する。
【００５５】
以上のように、本実施の形態によれば、外部ストロボ１２０の温度が発光禁止温度以上となった場合、内蔵ストロボ１２１に切り替えるため、発光部温度上昇による発光停止状態をなくし、撮影者が意図したタイミングでストロボ撮影を行うことが可能となる。
【００５６】
本実施の形態では、外部ストロボ１２０から内蔵ストロボ１２１に切り替えるとしたが、発光制御を内蔵ストロボ１２１から始め、内蔵ストロボ１２１の温度が発光禁止温度以上となった場合は、外部ストロボ１２０に制御を切り替えるようにしても良い。
【００５７】
従って、本実施の形態では、第１の発光手段は外部ストロボ１２０、第２の発光手段は内蔵ストロボ１２１としたが、その逆に、第１の発光手段は内蔵ストロボ１２１、第２の発光手段は外部ストロボ１２０としても良い。
【００５８】
また、外部ストロボ１２０の温度Ｔが発光禁止温度以上となってストロボ撮影時に発光させるのを内蔵ストロボ１２１切り替えたのち、外部ストロボ１２０の温度Ｔが発光禁止温度未満となれば再び外部ストロボ１２０をストロボ撮影時に発光させる構成とした。
【００５９】
そのため、撮影者が設定したストロボが、発光禁止温度以上の場合を除いて、撮影者が設定したストロボをストロボ撮影時に使用でき、撮影者の意図を反映したストロボ撮影を行うことができる。
【００６０】
（第２の実施の形態）
図４は、図１の撮像装置によって実行されるストロボ発光制御処理の第２の実施の形態の手順を示すフローチャートである。
【００６１】
本処理は、図１におけるＭＰＵ１０１の制御の下に実行される。
【００６２】
図４において、ステップＳ２０１で、スイッチセンス回路１１７のＳＷ１をＯＮすると、撮影待機状態となり、ステップＳ２０２のレリーズ判定状態へ移行する。ＳＷ１をＯＦＦすることで本処理が終了となる。
【００６３】
ステップＳ２０２では、ＭＰＵ１０１は、スイッチセンス回路１１７のＳＷ２の状態を検出し、ＯＮであればステップＳ２０３へ移行し、ＯＦＦの場合はステップＳ２０１へ帰還する。
【００６４】
ステップＳ２０３では、外部ストロボ１２０と内蔵ストロボ１２１で予備発光を行い、被写体へ向けて予備発光されていない定常状態と予備発光されている状態の双方の状態において、多分割測光センサ１１４によって輝度信号を出力し、ＭＰＵ１０１に出力する。
【００６５】
ＭＰＵ１０１は、この輝度信号をＡ／Ｄ変換器１１８によりデジタル値に変換し、ストロボ制御部１１９にてストロボ撮影の露出調節のための絞り値の演算とシャッター速度の演算及び露光時のストロボメイン発光量の演算を行う。メイン発光量はＭＰＵ１０１内蔵のＲＡＭに記憶する。
【００６６】
ステップＳ２０４では、ＭＰＵ１０１は、モータ制御回路１１１とシャッター制御回路１１２で、不図示のミラーのアップやシャッター先幕の通電のカットを行い、先幕走行の制御を開始して露光状態とし、外部／内蔵ストロボを同時発光させる。
【００６７】
次に、ＭＰＵ１０１は、撮像素子１０３で露光蓄積された電荷をタイミング信号発生回路１０２により出力開始し、Ａ／Ｄ変換器１０４で変換されたデジタル画像データをバッファメモリ１０６に記憶する。
【００６８】
ＭＰＵ１０１は、バッファメモリ１０６に画像データを記憶後に、画像表示部１０７で画像データを表示させ、記録媒体１０９に画像データを格納する。
【００６９】
ステップＳ２０５では、ストロボ制御部１１９が、外部ストロボ１２０／内蔵ストロボ１２１からそれぞれの温度Ｔ１、Ｔ２を取得し、ＭＰＵ１０１内蔵のＲＡＭに格納する。
【００７０】
ステップＳ２０６では、ＭＰＵ１０１は、ステップＳ２０５で格納された外部ストロボ１２０の温度Ｔ１、内蔵ストロボ１２１の温度Ｔ２と、所定値の発光禁止温度とを比較し、Ｔ１とＴ２両方の温度が発光禁止温度以上であればステップＳ２０２へ帰還する。そうでなければ、ステップＳ２０７へ移行する。
【００７１】
ステップＳ２０７では、ＭＰＵ１０１は、スイッチセンス回路１１７のＳＷ２の状態を検出し、ＯＮであればステップＳ２０８へ移行し、ＯＦＦの場合はステップＳ２０５へ帰還する。
【００７２】
ステップＳ２０８では、ＭＰＵ１０１は、ステップＳ２０５で格納された外部ストロボの温度Ｔ１と所定値の発光禁止温度とを比較し、発光禁止温度以上であれば、ステップＳ２０９へ移行し、発光禁止温度未満であればステップＳ２１１へ移行する。
【００７３】
ステップＳ２０９では、ＭＰＵ１０１は、内蔵ストロボ１２１のみで適正調光となるように発光演算処理を行う。また、ステップＳ２１１では、ＭＰＵ１０１は、外部ストロボ１２０のみで適正調光となるように発光演算処理を行う。
【００７４】
図４における外部ストロボ１２０と内蔵ストロボ１２１を同時に使用する時のガイドナンバーは、ｃ＝√（ａ×ａ＋ｂ×ｂ）で表される。
【００７５】
つまり、どちらか一方のみの発光でのガイドナンバーを超えている場合は、ＩＳＯや絞りを調整して、内蔵ストロボ１２１と外部ストロボ１２０を同時に使用する時と同じ調光となるように補正する。
【００７６】
例えば、外部ストロボガイドナンバーａ＝５０、内蔵ストロボガイドナンバーｂ＝２５なら、ｃ＝√（ａ×ａ＋ｂ×ｂ）＝約５６となる。
【００７７】
外部／内蔵ストロボ同時使用時にＭＡＸのガイドナンバー５６で発光し、外部ストロボ１２０が発光禁止により、内蔵ストロボ（ガイドナンバー２５）のみで調光する場合は（ステップＳ２０９内の処理）、段数差Ｚ＝３段となる。その場合、絞り値＝５．６なら絞り値＝２．５へ補正する。
【００７８】
ＩＳＯで補正する場合も同様で、ＩＳＯ＝１００→８００へ補正することで、外部ストロボ１２０と内蔵ストロボ１２１を同時に使用する時と同じ調光をすることができる。
【００７９】
内蔵ストロボ１２１が発光禁止により、外部ストロボ（ガイドナンバー５０）のみで調光をする場合は（ステップＳ２１１内処理）、段数差Ｙ＝１段となり、絞り値＝５．６なら絞り値＝５．０へ補正する。
【００８０】
ＩＳＯで補正する場合も同様で、ＩＳＯ＝１００→２００へ補正することで、外部ストロボ１２０と内蔵ストロボ１２１を同時に使用する時と同じ調光をすることができる。
【００８１】
また本実施の形態では、絞り値、ＩＳＯ値に限定したが、ＬＥＤストロボやフラット発光時のようなシャッター速度によって調光が変化するものはシャッター速度で調光補正しても良いし、これら３つのパラメータすべてを加味して調光補正をしても良い。
【００８２】
ステップＳ２１０、Ｓ２１２では、ＭＰＵ１０１は、モータ制御回路１１１でシャッター先幕の通電をカットし、先幕走行の制御を開始して露光状態とし、ステップＳ２１０なら内蔵ストロボ１２１を、ステップＳ２１２なら外部ストロボ１２０を発光させる。
【００８３】
次に、ＭＰＵ１０１は、撮像素子１０３で露光蓄積された電荷をタイミング信号発生回路１０２により出力開始し、Ａ／Ｄ変換１０４で変換されたデジタル画像データをバッファメモリ１０６に記憶する。
【００８４】
ＭＰＵ１０１は、バッファメモリ１０６に画像データを記憶後に、画像表示部１０７で画像データを表示させ、記録媒体１０９に画像データを格納する。
【００８５】
以上のように、本実施の形態によれば、外部ストロボ１２０と内蔵ストロボ１２１の同時使用時に、どちらか一方の温度が発光禁止温度以上となった場合、発光禁止となっていないストロボのみ発光させる。このことによって、ストロボの温度上昇による発光停止状態をなくし、撮影者が意図したタイミングでストロボ撮影を行うことが可能となる。
【図面の簡単な説明】
【００８６】
【図１】本発明の実施の形態に係る撮像装置のブロック図である。
【図２】図１の撮像装置によって実行されるストロボ発光制御処理の第１の実施の形態の手順を示すフローチャートである。
【図３】図１における外部ストロボ及び内蔵ストロボの発光量演算処理の説明図である。
【図４】図１の撮像装置によって実行されるストロボ発光制御処理の第２の実施の形態の手順を示すフローチャートである。
【符号の説明】
【００８７】
１０１  ＭＰＵ
１０２  タイミング発生回路
１０３  撮像素子
１０４  Ａ／Ｄ変換器
１０５  メモリコントローラ
１０６  バッファメモリ
１０７  画像表示部
１０８  記録媒体Ｉ／Ｆ
１０９  記録媒体
１１０  ＥＥＰＲＯＭ
１１１  モータ制御回路
１１２  シャッター制御回路
１１３  測光回路
１１４  多分割測光センサ
１１５  レンズ制御回路
１１６  焦点検出回路
１１７  スイッチセンス回路
１１８  Ａ／Ｄ変換器
１１９  ストロボ制御部
１２０  外部ストロボ
１２１  内蔵ストロボ
【図１】
2010015090.tif 000003
【図２】
2010015090.tif 000004
【図３】
2010015090.tif 000005
【図４】
2010015090.tif 000006